(57)【要約】【課題】シャッターチャンスを逃すことなく確実に記録することができる撮影装置を提供すること。【解決手段】本発明のある実施の形態において、撮影装置１は、ファーストレリーズ１５１がＯＮされた場合に、撮像部によって撮像されている被写体像の連写撮影処理を所定の撮影間隔で連続的に行って複数の連写撮影画像の画像データを生成するとともに、得られた複数の連写撮影画像をもとにスロー対応ライブビュー画像を生成し、撮影間隔よりも長い所定の表示間隔毎に順次ＴＦＴ液晶パネル１４４に表示処理してスロー表示処理を行う。そして、セカンドレリーズ１５２がＯＮされた場合には、表示処理中のスロー対応ライブビュー画像に対応する連写撮影画像の画像データを記録媒体１３６に記録処理する。【選択図】図１
2010226481.tif 000002
【特許請求の範囲】
【請求項１】
被写体像を撮像する撮像部と、
撮影準備指示が入力された場合に、前記撮像部によって撮像されている前記被写体像の撮影処理を所定の撮影間隔で連続的に行って複数の撮影画像の画像データを取得する撮影画像取得部と、
前記複数の撮影画像を前記撮影間隔よりも長い所定の表示間隔毎に順次表示部に表示処理するスローライブビュー表示処理部と、
撮影指示が入力された場合に、前記スローライブビュー表示処理部によって表示処理中の撮影画像の画像データを記録部に記録処理する記録処理部と、
を備えることを特徴とする撮影装置。
【請求項２】
所定のタイミングで前記撮影画像取得部による撮影処理および前記スローライブビュー表示処理部による表示処理を中断して既に取得されている前記撮影画像を消去するリセット処理を行い、前記撮影画像取得部による撮影処理および前記スローライブビュー表示処理部による表示処理を再度開始させる再開制御部を備えることを特徴とする請求項１に記載の撮影装置。
【請求項３】
撮影画角の変化を判定する撮影画角判定部を備え、
前記再開制御部は、前記撮影画角判定部によって撮影画角が変化したと判定された時点で前記リセット処理を行い、前記撮影画像取得部による撮影処理および前記スローライブビュー表示処理部による表示処理を再度開始させることを特徴とする請求項２に記載の撮影装置。
【請求項４】
装置本体の姿勢を検出する姿勢検出部を備え、
前記撮影画角判定部は、前記姿勢検出部による検出結果をもとに前記撮影画角の変化を判定することを特徴とする請求項３に記載の撮影装置。
【請求項５】
前記撮影画角判定部は、前記撮像部を構成する光学系の変倍動作を指示する変倍指示が入力された場合に、前記撮影画角が変化したと判定することを特徴とする請求項３に記載の撮影装置。
【請求項６】
前記撮影準備指示が入力されてからの経過時間を計測する計測部を備え、
前記再開制御部は、前記計測部によって所定時間が計測された時点で前記リセット処理を行い、前記撮影画像取得部による撮影処理および前記スローライブビュー表示処理部による表示処理を再度開始させることを特徴とする請求項２に記載の撮影装置。
【請求項７】
前記撮影準備指示は、前記撮像部を構成する光学系を焦点調節動作させるとともに該焦点調節状態を維持させる焦点調節指示であり、
前記焦点調節状態の解除指示が入力された場合に、前記撮影画像取得部による撮影処理および前記スローライブビュー表示処理部による表示処理を終了して既に取得されている前記撮影画像を消去する終了制御部を備えることを特徴とする請求項１に記載の撮影装置。
【請求項８】
前記撮像部によって撮像されている前記被写体像中の特定の被写体を検出する特定被写体検出部を備え、
前記撮影画像取得部は、前記撮影準備指示が入力された場合であって、且つ前記特定被写体検出部によって前記特定の被写体が検出された場合に、前記連続的な撮影処理を行うことを特徴とする請求項１に記載の撮影装置。
【請求項９】
前記特定被写体検出部によって前記特定の被写体が検出された場合であって、該検出された後、前記特定被写体検出部によって前記特定の被写体が検出されなくなった場合に、前記撮影画像取得部による撮影処理および前記スローライブビュー表示処理部による表示処理を中断して既に取得されている前記撮影画像を消去するリセット処理を行うリセット処理部を備えることを特徴とする請求項８に記載の撮影装置。
【請求項１０】
前記リセット処理部は、前記スローライブビュー表示処理部が既に取得されている全ての撮影画像を前記表示部に表示処理したか否かを判定し、表示処理したと判定した時点で前記リセット処理を行うことを特徴とする請求項９に記載の撮影装置。
【発明の詳細な説明】
【技術分野】
【０００１】
本発明は、被写体像を撮像する撮影装置に関するものである。
【背景技術】
【０００２】
例えばデジタルスチルカメラやデジタルビデオカメラ等の撮影装置では、ユーザがシャッターチャンスを逃さないようにするための機能として、シャッター操作の前後で撮影処理を行って画像データを記録しておくいわゆるプリキャプチャ機能を備えたものが知られている。ユーザは、決定的な瞬間に備えてこのプリキャプチャ機能を使うことで、シャッターチャンスを逃さずに撮影が行える。
【０００３】
ここで、動画の滑らかなスローモーション再生を実現するために、再生フレームレートの整数倍の速度で映像データを撮像するようにしたものが知られている（特許文献１を参照）。
【０００４】
【特許文献１】特開２００４−３１２１９５号公報
【発明の開示】
【発明が解決しようとする課題】
【０００５】
ところで、被写体の動きが速いと、ユーザによるシャッター操作が遅すぎてプリキャプチャ機能によって記録された画像の中にユーザが決定的と感じたときの画像が含まれず、シャッターチャンスを逃してしまう事態が生じる場合があった。また、この問題を解決するための方法として、例えばプリキャプチャ機能による画像の記録枚数を増やすことが考えられるが、ユーザは、撮影の後で記録された画像の中から所望するシーンを映した画像を選択する必要があるため、記録枚数を増やしてしまうと撮影後に画像を閲覧・選択する作業が煩雑化するという問題があった。
【０００６】
本発明は、上記に鑑みてなされたものであって、シャッターチャンスを逃すことなく確実に記録することができる撮影装置を提供することを目的とする。
【課題を解決するための手段】
【０００７】
上述した課題を解決し、目的を達成するため、本発明にかかる撮影装置は、被写体像を撮像する撮像部と、撮影準備指示が入力された場合に、前記撮像部によって撮像されている前記被写体像の撮影処理を所定の撮影間隔で連続的に行って複数の撮影画像の画像データを取得する撮影画像取得部と、前記複数の撮影画像を前記撮影間隔よりも長い所定の表示間隔毎に順次表示部に表示処理するスローライブビュー表示処理部と、撮影指示が入力された場合に、前記スローライブビュー表示処理部によって表示処理中の撮影画像の画像データを記録部に記録処理する記録処理部と、を備えることを特徴とする。
【０００８】
また、本発明にかかる撮影装置は、上記の発明において、所定のタイミングで前記撮影画像取得部による撮影処理および前記スローライブビュー表示処理部による表示処理を中断して既に取得されている前記撮影画像を消去するリセット処理を行い、前記撮影画像取得部による撮影処理および前記スローライブビュー表示処理部による表示処理を再度開始させる再開制御部を備えることを特徴とする。
【０００９】
また、本発明にかかる撮影装置は、上記の発明において、撮影画角の変化を判定する撮影画角判定部を備え、前記再開制御部は、前記撮影画角判定部によって撮影画角が変化したと判定された時点で前記リセット処理を行い、前記撮影画像取得部による撮影処理および前記スローライブビュー表示処理部による表示処理を再度開始させることを特徴とする。
【００１０】
また、本発明にかかる撮影装置は、上記の発明において、装置本体の姿勢を検出する姿勢検出部を備え、前記撮影画角判定部は、前記姿勢検出部による検出結果をもとに前記撮影画角の変化を判定することを特徴とする。
【００１１】
また、本発明にかかる撮影装置は、上記の発明において、前記撮影画角判定部は、前記撮像部を構成する光学系の変倍動作を指示する変倍指示が入力された場合に、前記撮影画角が変化したと判定することを特徴とする。
【００１２】
また、本発明にかかる撮影装置は、上記の発明において、前記撮影準備指示が入力されてからの経過時間を計測する計測部を備え、前記再開制御部は、前記計測部によって所定時間が計測された時点で前記リセット処理を行い、前記撮影画像取得部による撮影処理および前記スローライブビュー表示処理部による表示処理を再度開始させることを特徴とする。
【００１３】
また、本発明にかかる撮影装置は、上記の発明において、前記撮影準備指示は、前記撮像部を構成する光学系を焦点調節動作させるとともに該焦点調節状態を維持させる焦点調節指示であり、前記焦点調節状態の解除指示が入力された場合に、前記撮影画像取得部による撮影処理および前記スローライブビュー表示処理部による表示処理を終了して既に取得されている前記撮影画像を消去する終了制御部を備えることを特徴とする。
【００１４】
また、本発明にかかる撮影装置は、上記の発明において、前記撮像部によって撮像されている前記被写体像中の特定の被写体を検出する特定被写体検出部を備え、前記撮影画像取得部は、前記撮影準備指示が入力された場合であって、且つ前記特定被写体検出部によって前記特定の被写体が検出された場合に、前記連続的な撮影処理を行うことを特徴とする。
【００１５】
また、本発明にかかる撮影装置は、上記の発明において、前記特定被写体検出部によって前記特定の被写体が検出された場合であって、該検出された後、前記特定被写体検出部によって前記特定の被写体が検出されなくなった場合に、前記撮影画像取得部による撮影処理および前記スローライブビュー表示処理部による表示処理を中断して既に取得されている前記撮影画像を消去するリセット処理を行うリセット処理部を備えることを特徴とする。
【００１６】
また、本発明にかかる撮影装置は、上記の発明において、前記リセット処理部は、前記スローライブビュー表示処理部が既に取得されている全ての撮影画像を前記表示部に表示処理したか否かを判定し、表示処理したと判定した時点で前記リセット処理を行うことを特徴とする。
【発明の効果】
【００１７】
本発明によれば、撮影準備指示が入力された場合に撮影処理を所定の撮影間隔で連続的に行って複数の撮影画像の画像データを取得するとともに、取得した複数の撮影画像を撮影間隔よりも長い所定の表示間隔毎に順次表示部に表示処理することができる。これによれば、被写体像を所定の撮影間隔で撮影するとともに、得られた撮影画像を用い、実際の被写体の動きよりも遅い速度で被写体像を画面表示することができる。そして、撮影指示が入力された場合には、表示処理中の撮影画像の画像データを記録部に記録処理することができる。したがって、被写体の動きが速い場合であっても、シャッターチャンスを逃すことなく確実に記録することができるという効果を奏する。
【発明を実施するための最良の形態】
【００１８】
以下、図面を参照し、本発明の好適な実施の形態について詳細に説明する。本実施の形態では、本発明の撮影装置をいわゆるデジタルスチルカメラやデジタルビデオカメラに適用した場合を例に挙げて説明する。なお、この実施の形態によって本発明が限定されるものではない。また、各図面の記載において、同一部分には同一の符号を付して示している。
【００１９】
ここで、本実施の形態で例示する撮影装置は、例えば光学レンズ等からなる撮像光学系が撮像素子の受光面に結像した光学像を電気的な信号に変換して静止画または動画の画像データを生成する撮像部を備える。また、撮影装置は、撮像部が生成した画像データを再生することで被写体の静止画または動画を表示する表示部や、画像信号またはこれを信号処理した画像データ等の各種情報を記録する記録部、外部装置との間で無線または有線によるデータ通信を行う通信部等を備える。
【００２０】
撮影装置の通信部から送信された画像データは、外部装置によって受信される。外部装置としては、例えば、パーソナルコンピュータ（ＰＣ）やＰＤＡ（Personal  Digital  Assistants）等の表示機能を備えた各種情報処理装置、プリンタやデジタル複合機等の印刷機能を備えた画像処理装置、あるいはフラッシュメモリ（登録商標）や外付けハードディスク（ＨＤ）といった各種ストレージ等が挙げられる。
【００２１】
（実施の形態１）
先ず、実施の形態１について説明する。図１は、実施の形態１における撮影装置１の概略内部構成例を示すブロック図である。図１に示すように、撮影装置１は、１つ以上のレンズで構成される光学系（以下、この光学系を「レンズ１０１」と呼ぶ。）、撮像素子１０２、アクチュエータ１０３、アクチュエータ駆動回路１０４、撮像回路１０５、フラッシュ１０６、ＥＥＰＲＯＭ（Electrically  Erasable  and  Programmable  Read  Only  Memory）１０７と、手ブレ補正用ジャイロセンサ１０８、２つのＣＰＵ（Central  Processing  Unit）１１０，１２０、Ａ／Ｄ変換回路１３１、ＦＩＦＯメモリ１３２、フレームメモリ（ＳＤＲＡＭ）１３３、記録バッファ１３４、記録媒体インタフェース（Ｉ／Ｆ）１３５、記録媒体１３６、ＴＦＴ液晶駆動回路１４１、ビデオ出力回路１４２、バックライトユニット１４３、ＴＦＴ液晶パネル１４４、キーマトリクス１５０、ＬＣＤ（Liquid  Crystal  Display）表示回路１６１、ＬＣＤパネル１６２、外部有線データインターフェース（Ｉ／Ｆ）１６３、電池１７１、バックアップ電源１７２、電源回路１７３、電池状態検出回路１７４等を備える。この撮影装置１において、レンズ１０１、撮像素子１０２、撮像回路１０５およびＡ／Ｄ変換回路１３１を含む構成が撮像部を実現する。また、ＴＦＴ液晶駆動回路１４１、ビデオ出力回路１４２、バックライトユニット１４３、ＴＦＴ液晶パネル１４４、ＬＣＤ表示回路１６１およびＬＣＤパネル１６２を含む構成が表示部を実現する。また、記録バッファ１３４、記録媒体Ｉ／Ｆ１３５および記録媒体１３６を含む構成が記録部を実現する。
【００２２】
レンズ１０１は、撮像素子１０２の受光面に光学的な被写体像を結像する。撮像素子１０２は、レンズ１０１によって受光面に結像される光学的な被写体像を電気信号に変換する光電変換処理を行うことで、電気的な画像信号を生成する。この撮像素子１０２としては、高速読み出しが可能な固体撮像素子、例えばＣＣＤ（Charge  Coupled  Device）、ＣＭＯＳ（Complementary  Metal  Oxide  Semiconductor）、またはその他の各種撮像素子を用いることができる。
【００２３】
撮像回路１０５は、撮像素子１０２の各素子に蓄積された電荷を画像信号として読み出し、この画像信号に垂直同期信号および水平同期信号等を組み合わせる。このとき例えば、撮影時であれば全画素を読み出す全画素読み出しモードで撮像素子１０２を駆動し、後述する通常ライブビュー表示時であれば間引き読み出しモードで撮像素子１０２を駆動する。なお、読み出し直後の画像信号は、アナログ信号である。撮像回路１０５は、読み出した画像信号に対して各種アナログ信号処理を実行し、処理後の画像信号をＡ／Ｄ変換回路１３１に出力する。Ａ／Ｄ変換回路１３１は、撮像回路１０５から入力されたアナログの画像信号に対してＡ／Ｄ変換処理を実行し、画像データを得る。
【００２４】
以上のようにしてデジタル信号処理された画像データは、ＣＰＵ１２０、フレームメモリ１３３、ＦＩＦＯ（First-In  First-Out）メモリ１３２または記録バッファ１３４に適宜入力される。Ａ／Ｄ変換回路１３１、ＣＰＵ１２０、フレームメモリ１３３、ＦＩＦＯメモリ１３２および記録バッファ１３４は、例えば内部バス１３０を介して相互に接続されている。
【００２５】
フレームメモリ１３３は、Ａ／Ｄ変換回路１３１から出力された画像データ（この画像データに関する各種データ等を含んでもよい。以下、単に「画像データ」と呼ぶ。）や、記録媒体１３６から読み出された画像データを一時的に記録する。このフレームメモリ１３３には、例えばＳＤＲＡＭ（Synchronous  ＤＲＡＭ）等の半導体記録素子等が適用される。
【００２６】
ＣＰＵ（画像処理部）１２０は、主に、画像データや各種データを取り扱う信号処理制御を実行する複数の集積回路により構成される。このＣＰＵ１２０は、Ａ／Ｄ変換回路１３１から入力され、あるいは記録媒体１３６から読み出されてフレームメモリに一時的に記録されている画像データに対して各種画像処理を施す。以下、ＣＰＵ１２０を「画像処理部１２０」とも呼ぶ。
【００２７】
この画像処理部１２０は、画像圧縮伸長部１２１と、記録媒体アクセス処理部１２２と、表示フレームレート変換部１２３とを含む。画像圧縮伸長部１２１は、フレームメモリ１３３に記録されている画像データに対して例えばＪＰＥＧ圧縮処理を行い、またはＪＰＥＧ圧縮処理されている画像データの伸長処理を行う。記録媒体アクセス処理部１２２は、記録媒体Ｉ／Ｆ１３５による記録媒体１３６へのアクセスを制御する。表示フレームレート変換部１２３は、撮影モードとして通常の撮影モードが設定されているのか、スローライブビュー対応モードが設定されているのかに応じて撮影モード時に電子ファインダーとして画面表示する画像の表示フレームレートを変換するための処理を行う。
【００２８】
ＦＩＦＯメモリ１３２は、表示対象とするフレームの画像データをＴＦＴ液晶パネル１４４やＬＣＤパネル１６２、外部画像表示装置２０１等の各種表示装置へと出力する際にこの画像データを一時的にバッファするためのものであり、いわゆるビデオメモリとして機能する。
【００２９】
ＴＦＴ液晶駆動回路１４１は、ＦＩＦＯメモリ１３２から例えば１ライン毎に出力される画像データをもとにＴＦＴ液晶パネル１４４を駆動する。ＴＦＴ液晶パネル１４４は、ＴＦＴ液晶駆動回路１４１によって駆動され、表示対象の画像や各種情報等を表示する。このＴＦＴ液晶パネル１４４には、例えばカラー表示可能なパネルが適用される。また、バックライトユニット１４３は、ＴＦＴ液晶パネル１４４の背面側に設けられ、ＴＦＴ液晶パネル１４４を背面側から照明する。
【００３０】
ビデオ出力回路１４２は、ＦＩＦＯメモリ１３２からの画像データを例えばＮＴＳＣ形式のビデオ信号に変換する。また、ビデオ出力回路１４２は、変換したビデオ信号をビデオ出力端子１４５に接続された例えば外部画像表示装置２０１等の外部装置に出力する。ビデオ出力端子１４５は、ビデオ信号の伝送媒体であるビデオケーブル等の信号線が接続される接続端子である。
【００３１】
記録バッファ１３４は、フレームメモリ１３３に一時的に記録されている画像データを記録媒体１３６に画像データとして記録する際、あるいは記録媒体１３６から画像データを読み出してフレームメモリ１３３に一時的に記録する際等に用いるバッファ（一時記録領域）である。
【００３２】
記録媒体Ｉ／Ｆ１３５は、記録媒体１３６への画像データの記録処理や、記録媒体１３６からの画像データの読み出し処理等を制御するための回路である。
【００３３】
記録媒体１３６は、画像データやその他の各種データを記録するストレージである。この記録媒体１３６には、例えば薄板形状またはカード形状からなるメモリカード等の不揮発性の記録媒体が適用され、撮影装置１に対して着脱自在のものや撮影装置１内部の電気回路に固設されるもの等、適宜採用してよい。
【００３４】
ＣＰＵ１１０は、主（メイン）ＣＰＵとして配設されるものであり、撮影装置１の各部を適宜制御（コントロール）することでシステム全体を制御するシステムコントロール部１１１を含む。このシステムコントロール部１１１は、撮影画像取得部、スローライブビュー表示処理部、記録処理部、再開制御部、終了制御部として撮影装置１を構成する各部に対する指示やデータの転送等を行って撮影装置１の動作を統括的に制御する。
【００３５】
例えば、システムコントロール部１１１は、外部有線データＩ／Ｆ１６３を介してデータの入出力を制御する処理や、主電源である電池１７１の残量をＬＣＤパネル１６２等に表示する処理、アクチュエータ駆動回路１０４に対する動作指示を行ってレンズ１０１を駆動し、ＡＦ動作（焦点調節動作）や変倍動作を制御する処理、撮像部による撮影動作を制御して撮影画像の画像データを生成する処理、撮影の際の各種撮影条件を設定する処理、撮影画像の画像データをこれに付随する撮影日時等の撮影情報と合わせて画像データを含む画像ファイルを生成する処理、図示しない集音装置によって撮影時等に集音された音声信号をもとに音声ファイルを生成する処理、生成した画像ファイルや音声ファイル等の各種データファイルを適切な形態で記録媒体１３６に記録する処理、画像ファイルをもとに画像データや撮影情報をＴＦＴ液晶パネル１４４やＬＣＤパネル１６２、外部画像表示装置２０１に表示する処理、音声ファイルをもとに音声データを図示しないスピーカから音出力する処理等、撮影装置１による各種動作を制御する処理や撮影装置１が備える各種機能を実現するための処理を行う。
【００３６】
また、システムコントロール部１１１は、撮影画角判定部としてのカメラ撮影画角判定部１１２と、計測部としての操作時間計測部１１３と、時計部１１４とを含む。カメラ撮影画角判定部１１２は、撮影画角の変化を判定する。実施の形態１では、カメラ撮影画角判定部１１２は、所定のタイミングでカメラ姿勢情報を初期化するとともに、手ブレ補正用ジャイロセンサ１０８から出力される検出値をもとにカメラ姿勢情報を更新する。そして、カメラ撮影画角判定部１１２は、このカメラ姿勢情報をもとに撮影画角の変化を判定する。操作時間計測部１１３は、スローライブビュー対応モード時においてファーストレリーズ１５１がＯＮされている間のフレーム数を係数するものであり、例えば、初期値を“０”としてフレーム数をカウントアップするカウンタで構成される。時計部１１４は、日付や時刻を計時するためのものである。
【００３７】
アクチュエータ１０３は、レンズ１０１を駆動し、被写体像のオートフォーカス（ＡＦ：自動焦点調節）動作や変倍動作等を行うための駆動源である。アクチュエータ駆動回路１０４は、システムコントロール部１１１の制御のもと、アクチュエータ１０３を駆動する回路である。すなわち、このアクチュエータ１０３およびアクチュエータ駆動回路１０４を含む構成によってレンズ１０１を光軸に沿って移動させることで、ＡＦ動作や変倍動作等が実現される。
【００３８】
ＥＥＰＲＯＭ１０７は、システムコントロール部１１１および画像処理部１２０である各ＣＰＵによって実行される処理プログラム（アプリケーションソフトウエア）や、この処理プログラムの実行中に使用される各種設定データや固有データ等が記録される。このＥＥＰＲＯＭ１０７には、例えば電気的に消去可能な不揮発性メモリである公知のフラッシュロム（Flash  ＲＯＭ）等が適用される。
【００３９】
フラッシュ１０６は、撮影時に被写体を照明する光を放射する光源であり、例えばキセノンランプやＬＥＤ（Light  Emitting  Diode）等で構成される。手ブレ補正用ジャイロセンサ１０８は、姿勢検出部として、撮影装置１に生じているヨー方向およびピッチ方向の角速度を検出する。そして、手ブレ補正用ジャイロセンサ１０８は、検出した角速度をもとに撮影装置１のブレを検出し、検出値をシステムコントロール部１１１に出力する。
【００４０】
キーマトリクス１５０は、例えば通常の撮影モードやスローライブビュー対応モードが設定された撮影モード等の各種撮影モードや再生モード等の撮影装置１の動作モードに関する設定操作や撮影条件の設定操作、撮影指示や動作モードの切換指示、電源投入／遮断指示といった撮影装置１に対する各種動作指示等、ユーザによる各種操作を入力するためのものであり、各種機能が割り当てられたボタンスイッチやスライドスイッチ、ダイヤル等の各種操作部材で構成される。
【００４１】
すなわち、例えば、キーマトリクス１５０は、撮影準備指示である焦点調節指示を入力するためのファーストレリーズ１５１、撮影指示を入力するためのセカンドレリーズ１５２および変倍指示を入力するためのズームボタン１５３を含む。ファーストレリーズ１５１は、ユーザによるシャッタボタン（不図示）の半押しを検出するスイッチであり、セカンドレリーズ１５２は、このシャッタボタンの全押しを検出するスイッチである。例えばファーストレリーズ１５１によってシャッタボタンの半押しが検出された場合、システムコントロール部１１１の制御のもと、ＡＦ動作が行われる。一方、セカンドレリース１５２によってシャッタボタンの全押しが検出された場合には、システムコントロール部１１１の制御のもと、撮影動作が行われる。ズームボタン１５３は、撮影時に撮影倍率を変更（ズーム操作）するためのものである。なお、このズームボタン１５３は、再生モード時は、再生画像の拡大表示や縮小表示等の表示切換ボタンとして機能する。
【００４２】
この他、図示しないが、キーマトリクス１５０は、撮影装置１の電源状態をオン又はオフ状態に切り換える電源ボタンや、メニュー画面を呼び出す等の各種機能が割り当てられた各種操作ボタン、メニュー画面等における選択設定を行う四方向選択キー（十字キー）、これら各種操作部材による操作を確定するためのＯＫボタン等を適宜含む。十字キーは、上下左右の各方向ボタンを有する。
【００４３】
そして、このキーマトリクス１５０は、これら操作部材のそれぞれに連動して所定の指示信号を発生させるスイッチ部材や各スイッチ部材からの指示信号を伝達する電気回路等を含む。ユーザが操作することでキーマトリクス１５０が発生した各種指示信号は、システムコントロール部１１１に出力される。
【００４４】
ＬＣＤ表示回路１６１は、システムコントロール部１１１からの制御に従ってＬＣＤパネル１６２を駆動し、ＬＣＤパネル１６２に各種情報を表示処理する。ＬＣＤパネル１６２は、例えば小型の液晶表示装置（ＬＣＤ）等によって構成される。このＬＣＤパネル１６２には、例えば撮影装置１において設定済みの撮影条件、撮影時のシャッタ速度や絞り値等の露出に関する情報、現在設定されている動作モード情報、記録媒体１３６に記録可能な画像の枚数情報といった撮影装置１における各種設定値や日時情報等を表示する。
【００４５】
外部有線データＩ／Ｆ１６３は、外部装置との間で画像データの伝送（送受信）を行うための接続インタフェースである。この外部有線データＩ／Ｆ１６３には、例えばＵＳＢ（Universal  Serial  Bus）規格やＩＥＥＥ１３９４規格等に準拠したインタフェースが適用される。
【００４６】
電池１７１は、撮影装置１における主（メイン）電源である。この電池１７１には、例えば乾電池等の一次電池や充電可能な蓄電池等の二次電池等が適用される。バックアップ電源１７２は、撮影装置１の内部メモリや内部時計等に対して常に電力を供給するために設けられた副（サブ）電源である。このバックアップ電源１７２からの電力は、例えば撮影装置１における各種設定値や日時情報等を保持し、あるいはＬＣＤパネル１６２等に常時表示するための電力として用いられる。
【００４７】
電源回路１７３は、システムコントロール部１１１の制御のもと、電池１７１またはバックアップ電源１７２からの電力を撮影装置１内部の各電気回路へ適宜供給する。電池状態検出回路１７４は、電池１７１からの電源電圧等から電池１７１の残量等の状態を検出し、この検出結果をシステムコントロール部１１１に出力する。
【００４８】
なお、撮影装置１は、上記した各構成の他、音声等の被写体が発する音を集音するための不図示の集音装置（マイクロフォン）を適宜備える。また、撮影装置１は、外部装置との間で無線による画像ファイル等のデータ信号の送受信を行うための不図示の無線通信装置を適宜備える。この無線通信装置としては、例えば、ワイヤレスＵＳＢ（ＷＵＳＢ）方式や、超広帯域（ＵＷＢ）無線接続方式、ＩｒＤＡ（intrared  Data  Association）方式による光無線接続等の各種通信規格の無線通信装置を適宜採用して用いることができる。
【００４９】
次に、以上のように構成される撮影装置１の撮影モードの１つであるスローライブビュー対応モードについて説明する。スローライブビュー対応モードが設定された撮影モードでは、ファーストレリーズ１５１がＯＮされるまでの間は撮像素子１０２に結像されている被写体像をリアルタイムに画面表示する通常ライブビュー表示が行われる。そして、ファーストレリーズ１５１がＯＮされた時点で撮影画像の連写が開始され、例えば所定の表示フレームレート（実施の形態１では、通常ライブビュー表示の表示フレームレートとしている３０ｆｐｓ（フレーム／秒））に応じた所定の撮影間隔（実施の形態では１／３０秒毎）で撮影画像（以下、スローライブビュー対応モードで連写される撮影画像を「連写撮影画像」と呼ぶ。）の画像データが生成される。また、ファーストレリーズ１５１がＯＮされたままの間は、得られた連写撮影画像の画像データからスロー対応ライブビュー画像の画像データが生成されるようになっており、このスロー対応ライブビュー画像を用いたスローライブビュー表示が行われる。
【００５０】
図２は、スローライブビュー対応モードで得られる連写撮影画像の一例を示す図であり、先頭の０コマ目から５コマ目までの６枚の連写撮影画像ＩP0〜ＩP5をその撮影タイミングｔP0〜ｔP5とともに時系列順に示している。各連写撮影画像ＩP0〜ＩP5には、向かって左側から出現した車が右側に移動してフレームアウトする様子が映されている。また、図３は、スローライブビュー対応モードにおける表示フレームレートを説明する図である。図３では、図２に示した各連写撮影画像ＩP0〜ＩP5のうちの連写撮影画像ＩP0〜ＩP4にそれぞれ対応する０コマ目から４コマ目のスロー対応ライブビュー画像ＩD0〜ＩD4の表示タイミングｔD0〜ｔD12を、時系列順に示している。
【００５１】
図２に示すように、スローライブビュー対応モードでは、ファーストレリーズ１５１がＯＮされたときを撮影タイミングｔP0として先ずコマ番号が“０”である０コマ目の連写撮影画像ＩP0の画像データを生成する。そして、１／３０秒後の次の撮影タイミングｔP1でコマ番号が“１”である１コマ目の連写撮影画像ＩP1の画像データを生成する。同様にして、１／３０秒毎の各タイミングｔP2，ｔP3・・・でそれぞれコマ番号が“２”である２コマ目以降の各連写撮影画像ＩP2，ＩP3・・・の画像データを順次生成していく。
【００５２】
一方で、スローライブビュー対応モードでは、１／３０秒毎に生成される各連写撮影画像ＩP0，ＩP1・・・をもとに、図３に示すスロー対応ライブビュー画像ＩD0，ＩD1・・・を生成する。そして、生成したスロー対応ライブビュー画像ＩD0，ＩD1・・・を１／３０秒毎に画面表示するが、このとき、図３に示すように、各スロー対応ライブビュー画像ＩD0，ＩD1・・・の表示をそれぞれ所定回数（例えば３回）ずつ行う。すなわち先ず、最初の表示タイミングｔD0において、図２に示した０コマ目の連写撮影画像ＩP0に対応する０コマ目のスロー対応ライブビュー画像ＩD0を表示し、その後の１／３０秒毎の各タイミングｔD1，ｔD2においても０コマ目のスロー対応ライブビュー画像ＩD0の表示を維持する。そして、このようにして０コマ目のスロー対応ライブビュー画像ＩD0を３回表示した後の続くタイミングｔD3では、図２に示した１コマ目の連写撮影画像ＩP1に対応する１コマ目のスロー対応ライブビュー画像ＩD1を表示し、同様にしてその後の１／３０秒毎の各タイミングｔD4，ｔD5においてこの１コマ目のスロー対応ライブビュー画像ＩD1の表示を維持する。なお、ここでは各スロー対応ライブビュー画像を３回ずつ表示する場合を例示したが、この値は適宜設定することとしてよい。
【００５３】
このように、実施の形態１では、実際の表示フレームレート（３０ｆｐｓ）は変更せずに、０コマ目から順番に各スロー対応ライブビュー画像を３回ずつ表示する処理を行うことで各スロー対応ライブビュー画像の表示間隔を撮影間隔の３倍にし（表示フレームレートを１／３の速度に変換し）、ライブビュー画像のスロー表示（スローライブビュー表示）を実現している。そして、セカンドレリーズ１５２がＯＮされた場合には、そのときに画面表示されているスロー対応ライブビュー画像に対応する連写撮影画像を撮影画像として記録媒体１３６に記録する。例えば、図３に示す２コマ目のスロー対応ライブビュー画像ＩD2の表示中（ｔD6〜ｔD8の間）でセカンドレリーズ１５２がＯＮされた場合には、対応する図２の２コマ目の連写撮影画像ＩP2が記録されるのである。
【００５４】
これによれば、ユーザは、撮影モードとしてスローライブビュー対応モードを設定することによって、実際の被写体の動きよりも遅い速度でスロー表示されるスローライブビュー画像を見ながら撮影を行う（撮影タイミングを指示する）ことができる。したがって、被写体の動きが速い場合であっても、シャッターチャンスを逃すことなく確実に記録することができるという効果を奏する。
【００５５】
なお、このスローライブビュー対応モードでは、各連写撮影画像からそれぞれ生成したスロー対応ライブビュー画像を１／３０秒毎の表示タイミングで３回ずつ表示していくため、ファーストレリーズ１５１がＯＮされたままの状態が長く続くほど表示画面上に現れる被写体が実際の被写体像とずれていく。そこで、実施の形態１では、ユーザが撮像対象として狙う被写体が変化した場合を想定してスローライブビュー表示をリセットすることでこのズレの解消を図る。例えば実施の形態１では、撮影画角が大きく変化したと判定したときをユーザが撮像対象として狙う被写体を変えたときとして想定し、生成済みの連写撮影画像およびスロー対応ライブビュー画像を消去してスローライブビュー表示をリセットする。この場合には、次フレームを０コマ目とした新たに連写を開始し、スローライブビュー表示を再度開始する。また、ファーストレリーズ１５１がＯＦＦされた場合もユーザが狙う被写体を変えたと想定する。この場合には、生成済みの連写撮影画像およびスロー対応ライブビュー画像を消去した後、再度ファーストレリーズ１５１がＯＮされるまで通常ライブビュー表示に戻る。
【００５６】
次に、撮影装置１の動作について説明する。図４は、実施の形態１の撮影装置１の基本動作を示すフローチャートである。撮影装置１では、キーマトリクス１５０を構成する不図示の電源ボタンが操作されて電源投入が指示されると、電源回路１７３による各部への電源供給が開始される。そして、図４に示すように、先ずシステムコントロール部１１１が、内部回路の初期化等を行って撮影装置１の動作環境を設定する（ステップａ１）。その後、撮影モードとなり、例えば１／３０秒毎にステップａ３〜ステップａ１９の処理が繰り返し行われる。
【００５７】
撮影モードでは先ず、システムコントロール部１１１は、撮影モードの設定を判定する。通常の撮影モード等のスローライブビュー対応モード以外の撮影モードが設定されている場合には（ステップａ３：Ｎｏ）、通常のライブビュー画像表示状態となり（通常ライブビュー表示）、ＴＦＴ液晶パネル１４４に対してライブビュー画像の表示が継続的に行なわれる（ステップａ５）。すなわち、システムコントロール部１１１は、撮像素子１０２に結像されている被写体像の画像データを例えば間引き読み出し処理してフレームメモリ１３３に一時的に記録するとともに、ライブビュー画像としてＴＦＴ液晶パネル１４４に表示する一連の処理を１／３０秒毎に繰り返し行う。ここで、ライブビュー画像とは、撮像部からリアルタイムに取り込まれる画像データのことである。ここでの処理によって、被写体像の画像データが所定の表示フレームレート（ここでは３０ｆｐｓ）でリアルタイムに連続表示され、通常ライブビュー表示が実現される。
【００５８】
続いてシステムコントロール部１１１は、撮影処理を行う（ステップａ７）。この撮影処理では、システムコントロール部１１１は、ファーストレリーズ１５１がＯＮされた場合にＡＦ動作を制御する。これによって撮影装置１は、ピント合わせが固定された焦点調節状態（ＡＦロック）となる。そして、システムコントロール部１１１は、セカンドレリーズ１５２がＯＮされた時点で撮像部による撮影動作を制御し、露出を制御して画像データの全画素読み出し処理を行う。これにより、セカンドレリーズ１５２がＯＮされたタイミングの撮影範囲の画像データが撮影画像の画像データとして生成され、フレームメモリ１３３に一時的に記録される。この画像データは、画像処理部１２０によって必要な画像処理が施された後、記録媒体１３６に記録される。
【００５９】
一方、スローライブビュー対応モードが設定されている場合には（ステップａ３：Ｙｅｓ）、スローライブビュー対応モード処理に移る（ステップａ９）。
【００６０】
また、撮影モード中にキーマトリクス１５０によって撮影モードの設定操作が入力された場合には（ステップａ１１：Ｙｅｓ）、システムコントロール部１１１がモード設定変更処理を行い、撮影モードの設定を変更する（ステップａ１３）。例えば、システムコントロール部１１１は、メニュー画面をＴＦＴ液晶パネル１４４やＬＣＤパネル１６２に表示処理して動作モードの設定メニューや撮影条件の設定メニュー等の各種メニュー項目を提示する。そして、キーマトリクス１５０に対する操作入力に従い、選択されたメニュー項目に応じた処理を行って動作モードの設定や撮影条件の設定・変更等を行う。通常の撮影モードやスローライブビュー対応モード等の撮影モードの設定は、ここで行われる。
【００６１】
また、キーマトリクス１５０によって動作モードの切換指示が入力され、再生モードが設定されると（ステップａ１５：Ｙｅｓ）、再生処理に移り、例えば、キーマトリクス１５０に対する操作入力に従って再生対象の撮影画像を決定し、その画像データを記録媒体１３６から読み出してＴＦＴ液晶パネル１４４や外部画像表示装置２０１に表示（再生）する処理を行う（ステップａ１７）。
【００６２】
そして、ステップａ１９では、電源遮断指示を監視し、電源ボタンが操作されて電源遮断（パワーＯＦＦ）が指示された場合には（ステップａ１９：Ｙｅｓ）、基本動作を終える。この場合には電源回路１７３による各部の電源供給が停止され、撮影装置１はパワーＯＦＦ状態へと遷移する。パワーＯＦＦされなければ（ステップａ１９：Ｎｏ）、ステップａ３に戻る。
【００６３】
次に、ステップａ９のスローライブビュー対応モード処理について説明する。図５は、実施の形態１におけるスローライブビュー対応モード処理の詳細な処理手順を示すフローチャートである。実施の形態１のスローライブビュー対応モード処理では、図５に示すように、先ずシステムコントロール部１１１が、ファーストレリーズ１５１のＯＮ操作を判定する。ＯＮされなければ（ステップｂ１：Ｎｏ）、図４のステップａ５と同様の要領で、撮像素子１０２に結像されている被写体像をリアルタイムに画面表示する通常ライブビュー表示を行う（ステップｂ３）。その後、図４のステップａ９にリターンし、ステップａ１１に移行する。
【００６４】
一方、ファーストレリーズ１５１がＯＮされた場合には（ステップｂ１：Ｙｅｓ）、ＯＮされたままの間は、１／３０秒毎にステップｂ５〜ステップｂ２７の処理が繰り返し行われる。
【００６５】
すなわち先ず、システムコントロール部１１１は、初期化処理を行う（ステップｂ５）。実施の形態１では、カメラ撮影画角判定部１１２がカメラ姿勢情報を初期値“０”に初期化するとともに、操作時間計測部１１３がカウンタ値ｎを初期値“０”に初期化する。またこのとき、システムコントロール部１１１は、ＡＦ動作の制御を行い、撮影装置１はＡＦロックの状態となる。
【００６６】
続いてシステムコントロール部１１１は、連写撮影処理を行う（ステップｂ７）。すなわち、システムコントロール部１１１は、撮像部による撮影動作を制御し、露出を制御して画像データの全画素読み出し処理を行う。この結果、スローライブビュー対応モードが設定された撮影モードでは、ファーストレリーズ１５１がＯＮされている間は、１／３０秒毎にそのときの撮影範囲の画像が連写撮影画像として生成されることとなる。また、画像処理部１２０が、ステップｂ７で生成された連写撮影画像の画像データをもとに、スロー対応ライブビュー画像の画像データを生成する（ステップｂ９）。例えば、連写撮影画像を所定の画素数に間引き処理してスロー対応ライブビュー画像を生成する。
【００６７】
なお、このとき、システムコントロール部１１１は、カウンタ値ｎをコマ番号として画像処理部１２０に通知するようになっており、画像処理部１２０は、得られたｎコマ目の連写撮影画像およびスロー対応ライブビュー画像をシステムコントロール部１１１から通知されたコマ番号と対応付けて記録バッファ１３４に記録処理する。例えば、最初にステップｂ１でＹｅｓと判定された場合であればコマ番号は“０”となり、ステップｂ７で先頭の０コマ目の連写撮影画像が生成され、ステップｂ９でこの０コマ目のスロー対応ライブビュー画像が生成される。
【００６８】
続いて、表示フレームレート変換部１２３が、カウンタ値ｎを３で除した商をＮとして取得し、取得したＮの値がコマ番号として対応付けられたＮコマ目のスロー対応ライブビュー画像を記録バッファ１３４から読み出してＴＦＴ液晶パネル１４４に表示処理する（ステップｂ１１）。すなわち、カウンタ値ｎが０〜２である間は０コマ目のスローライブビュー画像が表示される。同様に、カウンタ値ｎが３〜５である間は１コマ目のスローライブビュー画像が表示される。
【００６９】
その後、システムコントロール部１１１は、セカンドレリーズ１５２のＯＮ操作を判定し、ＯＮされた場合であれば（ステップｂ１３：Ｙｅｓ）、表示中のスロー対応ライブビュー画像のコマ番号に対応するＮコマ目の連写撮影画像を撮影画像として記録媒体１３６に記録処理する（ステップｂ１５）。例えば上記したように、カウンタ値ｎが０〜２である間（コマ番号が“０”）は０コマ目のスローライブビュー画像を画面表示しており、この間にセカンドレリーズ１５２がＯＮされた場合には、０コマ目の連写撮影画像が撮影画像として記録されることとなる。その後、図４のステップａ９にリターンし、ステップａ１１に移行する。
【００７０】
また、セカンドレリーズ１５２がＯＮされなければ（ステップｂ１３：Ｎｏ）、システムコントロール部１１１は、ファーストレリーズ１５１のＯＦＦ操作（ＡＦロック状態の解除指示）を判定する。そして、ファーストレリーズ１５１がＯＦＦされた場合には（ステップｂ１７：Ｙｅｓ）、システムコントロール部１１１は、記録バッファ１３４に記録されている生成済みの連写撮影画像およびスロー対応ライブビュー画像が消去する処理（リセット処理）を行い、スローライブビュー表示をリセットする（ステップｂ１９）。このとき、ＡＦロックの状態が解除される。その後、図４のステップａ９にリターンし、ステップａ１１に移行する。
【００７１】
一方、ファーストレリーズ１５１がＯＮされたままであれば（ステップｂ１７：Ｎｏ）、続いてカメラ撮影画角判定部１１２が、手ブレ補正用ジャイロセンサ１０８の検出値に従ってカメラ姿勢情報を更新し、更新後の値をもとに撮影画角の変化を判定する（ステップｂ２１）。例えば、カメラ撮影画角判定部１１２は、カメラ姿勢情報が所定の閾値を超えたか否かを判定し、超えた場合に撮影画角が大きく変化したと判定する。
【００７２】
そして、カメラ姿勢情報が所定の閾値を超えた場合には（ステップｂ２３：Ｙｅｓ）、システムコントロール部１１１が、スローライブビュー表示をリセットする（ステップｂ２５）。ここで、記録バッファ１３４に記録されている生成済みの連写撮影画像およびスロー対応ライブビュー画像が消去される。その後ステップｂ５に戻って初期化処理を行い、次フレームを０コマ目とした新たなスローライブビュー表示を再度開始する。また、カメラ姿勢情報が所定の閾値未満の場合には（ステップｂ２３：Ｎｏ）、操作時間計測部１１３がカウンタ値ｎをインクリメントして更新し（ステップｂ２７）、その後ステップｂ７に戻って初期化処理を行い、次フレームの連写撮影処理に移る。
【００７３】
以上説明したように、実施の形態１によれば、ファーストレリーズ１５１がＯＮされた場合に連続撮影処理を行うとともに、生成した連続撮影画像を用いてスローライブビュー表示を行うことができる。これによれば、例えば所定の撮影間隔（例えば１／３０秒毎）で撮影処理を行って連写撮影画像の画像データを生成するとともに、この連写撮影画像の画像データを用いてスローライブビュー表示を行い、実際の被写体の動きよりも遅い速度で被写体像を画面表示することができる。そして、セカンドレリーズ１５２がＯＮされた時点で画面表示している連写撮影画像の画像データを記録することができる。したがって、被写体の動きが速い場合であっても、シャッターチャンスを逃すことなく確実に記録することができるという効果を奏する。
【００７４】
なお、上記した実施の形態１では、手ブレ補正用ジャイロセンサ１０８によって撮影装置１の装置本体のブレを検出し、この検出値をもとに撮影画角の変化を判定することとした。これに対し、例えば公知の動き検出技術を適用し、画像処理によって撮影装置１の装置本体のブレ（変位）を検出することとしてもよい。そして、検出結果をもとに撮影画角の変化を判定することとしてもよい。この場合には、画像処理部１２０が、例えばスロー対応ライブビュー画像の画像データをもとにフレーム間の動きを検出し、各スロー対応ライブビュー画像に映る同一の被写体位置の変化量を表す動きベクトルを算出する。そして、カメラ撮影画角判定部１１２は、画像処理部１２０によって算出された動きベクトルの大きさをもとに撮影画角が大きく変化した場合を判定する。本変形例によれば、ジャイロセンサを備えない撮影装置であっても、新たな構成を追加する必要がない。
【００７５】
また、上記した実施の形態１では、手ブレ補正用ジャイロセンサ１０８の検出値をもとに撮影画角の変化を判定し、撮影画角が大きく変化した場合にスローライブビュー表示をリセットすることとしたが、リセット処理のタイミングはこれに限定されるものではない。
【００７６】
（変形例１）
例えば、ズーム操作された場合にユーザが狙う被写体を変えたと想定し、スローライブビュー表示をリセットすることとしてもよい。すなわち、変形例１では、ズーム操作を検出してスローライブビュー表示をリセットする。図６は、変形例１におけるスローライブビュー対応モード処理の詳細な処理手順を示すフローチャートである。なお、図６において、実施の形態１と同様の処理工程については、同一の符号を付する。
【００７７】
図６に示すように、変形例１では、ファーストレリーズ１５１がＯＮされた場合に（ステップｂ１：Ｙｅｓ）、システムコントロール部１１１は、初期化処理を行う（ステップｃ５）。変形例１では、初期化処理として、操作時間計測部１１３がカウンタ値ｎを初期値“０”に初期化する。その後、ステップｂ７に移行する。
【００７８】
そして、変形例１では、ステップｂ１７においてファーストレリーズ１５１がＯＮされたままと判定した場合に（ステップｂ１７：Ｎｏ）、カメラ撮影画角判定部１１２が、ズーム操作の有無によって撮影画角の変化を判定する。すなわちカメラ撮影画角判定部１１２は、変倍指示であるズーム操作（ズームボタン１５３の操作）を検出する（ステップｃ２１）。そして、ステップｃ２１でズーム操作を検出した場合には（ステップｃ２３：Ｙｅｓ）、システムコントロール部１１１は、スローライブビュー表示をリセットする（ステップｃ２５）。ここで、記録バッファ１３４に記録されている生成済みの連写撮影画像およびスロー対応ライブビュー画像が消去される。その後ステップｃ５に戻って初期化処理を行い、次フレームを０コマ目とした新たなスローライブビュー表示を再度開始する。
【００７９】
一方、ズーム操作を検出しない場合には（ステップｃ２３：Ｎｏ）、操作時間計測部１１３がカウンタ値ｎをインクリメントして更新する（ステップｃ２７）。その後、ステップｂ７に戻って次フレームの連写撮影処理に移る。
【００８０】
（変形例２）
あるいは、ファーストレリーズ１５１がＯＮされたままの状態で経過した時間をもとにスローライブビュー表示をリセットすることとしてもよい。変形例２では、例えばＯＮされたままの状態で１０秒が経過した場合に、ライブビュー表示をリセットする。図７は、変形例２におけるスローライブビュー対応モード処理の詳細な処理手順を示すフローチャートである。なお、図７において、実施の形態１と同様の処理工程については、同一の符号を付する。
【００８１】
図７に示すように、変形例２では、ファーストレリーズ１５１がＯＮされた場合に（ステップｂ１：Ｙｅｓ）、システムコントロール部１１１は、初期化処理を行う（ステップｄ５）。変形例２では、初期化処理として、操作時間計測部１１３がカウンタ値ｎを初期値“０”に初期化する。その後、ステップｂ７に移行する。
【００８２】
そして、変形例２では、ステップｂ１７においてファーストレリーズ１５１がＯＮされたままと判定した場合に（ステップｂ１７：Ｎｏ）、操作時間計測部１１３が、先ずカウンタ値ｎをインクリメントして更新する（ステップｄ２１）。
【００８３】
続いて、操作時間計測部１１３は、カウンタ値ｎが“３００”以上か否かを判定する。ここでの処理によって、スローライブビュー表示を１０秒間継続的に行ったか否かが判定される。カウンタ値ｎが“３００”以上であり、今回のスローライブビュー表示を開始してから１０秒が経過している場合には（ステップｄ２３：Ｙｅｓ）、続いてシステムコントロール部１１１が、スローライブビュー表示をリセットする（ステップｄ２５）。ここで、記録バッファ１３４に記録されている生成済みの連写撮影画像およびスロー対応ライブビュー画像が消去される。その後ステップｄ５に戻って初期化処理を行い、次フレームを０コマ目とした新たなスローライブビュー表示を再度開始する。
【００８４】
また、カウンタ値ｎが“３００”未満の場合には（ステップｄ２３：Ｎｏ）、操作時間計測部１１３は、カウンタ値ｎが“１００”以上か否かを判定する。変形例２では、スローライブビュー表示を継続的に行う時間は最大でも１０秒である。したがって、カウンタ値ｎが“１００”を超えた後のフレームは表示の対象とならず、連写撮影画像を撮影し、そのスロー対応ライブビュー画像を生成しても無駄である。このため、カウンタ値ｎが“１００”以上となった場合には（ステップｄ２７：Ｙｅｓ）、ステップｂ１１に戻り、次フレームのスロー対応ライブビュー画像の表示に移る。一方、カウンタ値ｎが“１００”未満の場合には（ステップｄ２７：Ｎｏ）、ステップｂ７に戻って次フレームの連写撮影処理に移る。
【００８５】
上記したように、ファーストレリーズ１５１がＯＮされたままの状態が長く続くほど、画面表示される被写体像（スロー対応ライブビュー画像）と実際に撮像素子１０２に結像されている被写体像とのズレが大きくなっていく。変形例２によれば、所定の時間（例えば１０秒）が経過した時点でスローライブビュー表示をリセットすることで、このズレを解消することができる。
【００８６】
なお、変形例２では、ファーストレリーズ１５１がＯＮされたままの状態が維持され、スローライブビュー表示を１０秒間継続的に行った場合にこのスローライブビュー表示をリセットすることとしたが、１０秒間は一例であって、適宜値を設定できる。また、変形例２では、操作時間計測部１１３がカウンタ値ｎをカウントアップすることで経過した時間を判定することとしたが、経過時間を計時する構成としてもよい。例えば、ファーストレリーズ１５１がＯＮされてからの経過時間を時計部１１４によって計時し、１０秒が経過した時点でスローライブビュー表示をリセットすることとしてもよい。
【００８７】
（実施の形態２）
次に、実施の形態２について説明する。図８は、実施の形態２における撮影装置１ｂの概略内部構成例を示すブロック図である。なお、図８において、実施の形態１で説明した撮影装置１と同一の構成については同一の符号を付して示している。実施の形態２では、撮影装置１ｂは、レンズ１０１、撮像素子１０２、アクチュエータ１０３、アクチュエータ駆動回路１０４、撮像回路１０５、フラッシュ１０６、ＥＥＰＲＯＭ１０７ｂと、手ブレ補正用ジャイロセンサ１０８、２つのＣＰＵ１１０ｂ，１２０ｂ、Ａ／Ｄ変換回路１３１、ＦＩＦＯメモリ１３２、フレームメモリ１３３、記録バッファ１３４、記録媒体Ｉ／Ｆ１３５、記録媒体１３６、ＴＦＴ液晶駆動回路１４１、ビデオ出力回路１４２、バックライトユニット１４３、ＴＦＴ液晶パネル１４４、キーマトリクス１５０、ＬＣＤ表示回路１６１、ＬＣＤパネル１６２、外部有線データＩ／Ｆ１６３、電池１７１、バックアップ電源１７２、電源回路１７３、電池状態検出回路１７４等を備える。
【００８８】
実施の形態２では、ＥＥＰＲＯＭ１０７ｂにおいて、特定被写体情報１０７１ｂが記録される。この特定被写体情報１０７１ｂには、特定被写体画像の画像データやその画像データから抽出した特定被写体の特徴情報が登録（記録）される。実施の形態２では、特定の人物の顔が特定被写体として登録される。ユーザは、例えば登録したい人物を撮影することによって、その人物を特定被写体として登録する。
【００８９】
また、ＣＰＵ１１０ｂは、実施の形態１と同様にシステムコントロール部１１１ｂを含み、このシステムコントロール部１１１ｂは、時計部１１４と、被写体登録部１１５ｂと、特定被写体追尾処理部１１６ｂとを含む。
【００９０】
被写体登録部１１５ｂは、ユーザによる登録操作に従い、特定被写体画像である特定人物の顔画像データおよびその顔の特徴情報を取得し、特定被写体情報１０７１ｂとしてＥＥＰＲＯＭ１０７ｂに記録処理する。特定被写体追尾処理部１１６ｂは、スローライブビュー表示中に画面表示される特定被写体を追尾するため、スローライブビュー画像中に特定被写体が映っているか否かを判定する処理を行う。
【００９１】
そして、ＣＰＵ（画像処理部）１２０ｂは、画像圧縮伸長部１２１と、記録媒体アクセス処理部１２２と、表示フレームレート変換部１２３と、画像認識部１２４ｂとを含む。
【００９２】
画像認識部１２４ｂは、画像データを画像認識処理して特徴情報を抽出する。実施の形態２では、画像認識部１２４ｂは、公知技術である顔検出処理を行って画像データ中に映る顔を検出し、顔検出結果を特徴情報として抽出する。顔検出処理は、例えば、パターンマッチングを適用して画像データ中の顔の領域（顔領域）を検出し、この顔領域の検出結果をもとに左右の目や鼻、唇等の各顔パーツを検出するものである。画像認識部１２４ｂは、後述する被写体登録モードでは、ユーザ操作に従って得た特定人物の顔画像データから特徴情報を抽出する。また、スローライブビュー対応モードでは、ライブビュー画像の画像データから特徴情報を抽出する。
【００９３】
この画像認識部１２４ｂは、特定被写体検出部としての特定被写体判定部１２５ｂを含む。特定被写体判定部１２５ｂは、画像認識部１２４ｂがライブビュー画像について行った顔検出結果であるライブビュー画像の特徴情報をもとに、ライブビュー画像の画像データ中に特定被写体として登録されている特定人物の顔が映っているか否かを判定する。具体的には、特定被写体判定部１２５ｂは、顔検出結果をもとに画像データ中の顔領域を特定被写体情報１０７１ｂと照合し、特定人物の顔か否かを識別する。
【００９４】
次に、撮影装置１ｂの動作について説明する。図９は、実施の形態２における撮影装置１ｂの基本動作を示すフローチャートである。なお、図９において、実施の形態１と同様の処理工程については、同一の符号を付する。
【００９５】
実施の形態２では、図９に示すように、システムコントロール部１１１ｂは、ステップａ３において、実施の形態１と同様にして撮影モードとしてスローライブビュー対応モードが設定されているか否かを判定する。そして、スローライブビュー対応モードが設定されている場合に（ステップａ３：Ｙｅｓ）、スローライブビュー対応モード処理に移る（ステップｅ９）。
【００９６】
また、実施の形態２では、撮影モード中にキーマトリクス１５０によって動作モードの切換指示が入力され、被写体登録モードが設定されると（ステップｅ１８１：Ｙｅｓ）、被写体登録処理に移る（ステップｅ１８３）。
【００９７】
ここで、先ずステップｅ１８３の被写体登録処理について説明する。図１０は、実施の形態２における被写体登録処理の詳細な処理手順を示すフローチャートである。
【００９８】
図１０に示すように、被写体登録処理では先ず、図４のステップａ５と同様の要領でライブビュー画像を取り込んでリアルタイムに画面表示する通常ライブビュー表示を行う（ステップｆ１）。またこのとき、ライブビュー画像上の所定位置（例えば中央）において、特定被写体を選択するための所定サイズの被写体選択枠を固定的に表示処理する（ステップｆ３）。
【００９９】
その後、システムコントロール部１１１ｂは、キーマトリクス１５０に対する操作入力に応じた処理を行う。すなわち、ズーム操作（ズームボタン１５３の操作）が入力された場合には（ステップｆ５：Ｙｅｓ）、システムコントロール部１１１ｂは、変倍動作を制御する（ステップｆ７）。ファーストレリーズ１５１がＯＮされた場合には（ステップｆ９：Ｙｅｓ）、システムコントロール部１１１ｂは、ＡＦ動作を制御する（ステップｆ１１）。また、セカンドレリーズ１５２がＯＮされるまでの間は（ステップｆ１３：Ｎｏ）、ステップｆ１に戻って上記した処理を繰り返す。
【０１００】
そして、セカンドレリーズ１５２がＯＮされた場合には（ステップｆ１３：Ｙｅｓ）、画像認識部１２４ｂが、ＯＮされたときのライブビュー画像中の被写体選択枠内となる部分画像を特定被写体画像とし、この特定被写体画像の画像データを画像認識処理して特徴情報を抽出する（ステップｆ１５）。実施の形態２では、画像認識部１２４ｂは、特定被写体画像の画像データについて顔検出処理を行い、顔検出結果を特徴情報として得る。被写体登録部１１５ｂは、上記のようにして得られた特定被写体画像の画像データおよびその特徴情報を特定被写体情報１０７１ｂとしてＥＥＰＲＯＭ１０７ｂに記録処理する（ステップｆ１７）。
【０１０１】
図１１は、実施の形態２における被写体登録モード時にＴＦＴ液晶パネル１４４に表示される被写体登録画面の一例を示す図である。図１１に示すように、被写体登録画面は、ライブビュー画像が表示されるライブビュー表示エリアＷ１１を備え、このライブビュー表示エリアＷ１１の中央に被写体選択枠Ｆ１１が固定表示されるようになっている。ユーザは、撮影装置１ｂの装置本体を動かすとともに、ズームボタン１５３を操作して撮影倍率を変更することによって、登録したい特定人物の顔が被写体選択枠Ｆ１１内に収まるように被写体の大きさを調整する。そして、最終的にセカンドレリーズ１５２をＯＮすることによって、被写体選択枠Ｆ１１内の顔の人物が特定被写体として登録される。
【０１０２】
次に、図９のステップｅ９のスローライブビュー対応モード処理について説明する。図１２は、実施の形態２におけるスローライブビュー対応モード処理の詳細な処理手順を示すフローチャートである。実施の形態２のスローライブビュー対応モード処理では、図１２に示すように、先ずシステムコントロール部１１１ｂが、ファーストレリーズ１５１のＯＮ操作を判定する。ＯＮされなければ（ステップｇ１：Ｎｏ）、図４のステップａ５と同様の要領で、撮像素子１０２に結像されている被写体像をリアルタイムに画面表示する通常ライブビュー表示を行う（ステップｇ３）。その後、図９のステップｅ９にリターンし、ステップａ１１に移行する。
【０１０３】
一方、ファーストレリーズ１５１がＯＮされた場合には（ステップｇ１：Ｙｅｓ）、ＯＮされたままの間は、１／３０秒毎にステップｇ５〜ステップｇ４５の処理が繰り返し行われる。
【０１０４】
すなわち先ず、システムコントロール部１１１ｂは、初期化処理を行う（ステップｇ５）。実施の形態２では、システムコントロール部１１１ｂが、連写撮影画像のコマ番号を示すカウンタ値ｎ、スロー対応ライブビュー画像中の特定被写体を追尾するためのカウンタ値ｘおよび表示中のスロー対応ライブビュー画像のコマ番号を得るためのカウンタ値ｔをそれぞれ初期値“０”に初期化する。また、被写体登録部１１５ｂが、ＥＥＰＲＯＭ１０７ｂから特定被写体情報１０７１ｂを読み出す（ステップｇ７）。ここで読み出された特定被写体情報１０７１ｂは、画像認識部１２４ｂに通知される。またこのとき、システムコントロール部１１１ｂは、ＡＦ動作の制御を行い、撮影装置１ｂはＡＦロックの状態となる。
【０１０５】
続いて、画像認識部１２４ｂが、ライブビュー画像を取り込んで画像認識処理を行う（ステップｇ９）。例えば先ず、システムコントロール部１１１ｂが、撮像素子１０２に結像されている被写体像を間引き読み出し処理する。そして、ここでの処理の結果フレームメモリ１３３に一時的に記録されたライブビュー画像について画像認識部１２４ｂが画像認識処理を行う。すなわち画像認識部１２４ｂは、取り込んだライブビュー画像の画像データについて顔検出処理を行う。そして、特定被写体判定部１２５ｂが、顔検出結果をもとに、画像データ中の顔領域をシステムコントロール部１１１ｂから通知された特定被写体情報１０７１ｂと照合する。
【０１０６】
そして、特定被写体判定部１２５ｂが特定人物の顔を識別し、ライブビュー画像中で特定被写体が検出された場合には（ステップｇ１１：Ｙｅｓ）、実施の形態１と同様にしてシステムコントロール部１１１ｂが連写撮影処理を行い（ステップｇ１３）、画像処理部１２０ｂがスロー対応ライブビュー画像の画像データを生成する（ステップｇ１５）。生成された連写撮影画像およびスロー対応ライブビュー画像は、そのときのカウンタ値ｎであるコマ番号と対応付けられて記録バッファ１３４に記録処理される。
【０１０７】
続いて、システムコントロール部１１１ｂが、カウンタ値ｎをインクリメントして更新する（ステップｇ１７）。その後、システムコントロール部１１１ｂがカウンタｔをインクリメントして更新した後、表示フレームレート変換部１２３が、更新後のカウンタ値ｔを３で除した商をｘに代入して更新する（ステップｇ１９）。そして、表示フレームレート変換部１２３は、ｘの値がコマ番号として対応付けられたｘコマ目のスロー対応ライブビュー画像を記録バッファ１３４から読み出してＴＦＴ液晶パネル１４４に表示処理する（ステップｇ２１）。
【０１０８】
その後、システムコントロール部１１１ｂは、セカンドレリーズ１５２のＯＮ操作を判定し、ＯＮされた場合であれば（ステップｇ２３：Ｙｅｓ）、表示中のスロー対応ライブビュー画像のコマ番号に対応するｘコマ目の連写撮影画像を撮影画像として記録媒体１３６に記録処理する（ステップｇ２５）。
【０１０９】
また、セカンドレリーズ１５２がＯＮされなければ（ステップｇ２３：Ｎｏ）、システムコントロール部１１１ｂは、ファーストレリーズ１５１のＯＦＦ操作を判定する。そして、ファーストレリーズ１５１がＯＦＦされた場合には（ステップｇ２７：Ｙｅｓ）、システムコントロール部１１１ｂは、スローライブビュー表示をリセットする（ステップｇ２９）。このとき、記録バッファ１３４に記録されている生成済みの連写撮影画像およびスロー対応ライブビュー画像が消去される。また、ＡＦロックの状態が解除される。その後、図９のステップｅ９にリターンし、ステップａ１１に移行する。
【０１１０】
一方、ファーストレリーズ１５１がＯＮされたままであれば（ステップｇ２７：Ｎｏ）、ステップｇ９に戻って次フレームの画像認識処理に移る。
【０１１１】
また、ステップｇ９の画像認識処理の結果ライブビュー画像中で特定被写体が検出されない場合には（ステップｇ１１：Ｎｏ）、システムコントロール部１１１ｂは、カウンタ値ｎを判定する。そして、カウンタ値ｎが“０”の場合、すなわちファーストレリーズ１５１がＯＮされてから１度も特定被写体が検出されておらず、連写撮影処理が行われていない場合には（ステップｇ３１：Ｙｅｓ）、システムコントロール部１１１ｂは、図４のステップａ５と同様の要領で、撮像素子１０２に結像されている被写体像をリアルタイムに画面表示する通常ライブビュー表示を行う（ステップｇ３３）。
【０１１２】
その後、システムコントロール部１１１ｂは、セカンドレリーズ１５２のＯＮ操作を判定し、ＯＮされた場合であれば（ステップｇ３５：Ｙｅｓ）、撮像部による撮影動作を制御する（ステップｇ３７）。すなわち、システムコントロール部１１１ｂは、露出を制御して画像データの全画素読み出し処理を行う。これにより、このときの撮影範囲の画像データが撮影画像の画像データとして生成され、画像処理部１２０ｂによって必要な画像処理が施された後、記録媒体１３６に記録される。その後、図９のステップｅ９にリターンし、ステップａ１１に移行する。
【０１１３】
また、セカンドレリーズ１５２がＯＮされなければ（ステップｇ３５：Ｎｏ）、システムコントロール部１１１ｂは、ファーストレリーズ１５１のＯＦＦ操作を判定する。そして、ファーストレリーズ１５１がＯＦＦされた場合には（ステップｇ３９：Ｙｅｓ）、図９のステップｅ９にリターンしてステップａ１１に移行する。一方、ファーストレリーズがＯＦＦされなければ（ステップｇ３９：Ｎｏ）、ステップｇ９に戻って次フレームの画像認識処理に移る。
【０１１４】
また、カウンタ値ｎが“０”でない場合には（ステップｇ３１：Ｙｅｓ）、特定被写体追尾処理部１１６ｂが、スロー対応ライブビュー画像中の特定被写体を追尾するための処理として、カウンタ値ｎがカウンタ値ｘと一致しているか否かを判定する。ここで、カウンタ値ｎがカウンタ値ｘと一致していないということは、生成済みの連写撮影画像の最終のコマ番号が、表示中のスロー対応ライブビュー画像のコマ番号と一致していない。このため、生成済みの各コマのスロー対応ライブビュー画像の中に、特定被写体が映る未表示のスロー対応ライブビュー画像が含まれる。そこで、未表示のスロー対応ライブビュー画像を全て表示するまでの間は、スローライブビュー表示を継続して行う。すなわち、カウンタ値ｎがカウンタ値ｘと一致していない場合には（ステップｇ４１：Ｎｏ）、ステップｇ１９に移行して次フレームのスロー対応ライブビュー画像の表示に移る。
【０１１５】
そして、システムコントロール部１１１ｂは、カウンタ値ｎがカウンタ値ｘと一致している場合には（ステップｇ４１：Ｙｅｓ）、リセット処理部としてスローライブビュー表示をリセットする（ステップｇ４３）。ここで、記録バッファ１３４に記録されている生成済みの連写撮影画像およびスロー対応ライブビュー画像が消去される。
【０１１６】
続いて、システムコントロール部１１１ｂは、ファーストレリーズ１５１のＯＦＦ操作を判定し、ファーストレリーズ１５１がＯＦＦされた場合には（ステップｇ４５：Ｙｅｓ）、図９のステップｅ９にリターンしてステップａ１１に移行する。ファーストレリーズ１５１がＯＦＦされなければ（ステップｇ４５：Ｎｏ）、ステップｇ５に戻って初期化処理を行い、次フレームの画像認識処理に移る。
【０１１７】
以上説明したように、実施の形態２によれば、ファーストレリーズ１５１がＯＮされた場合であって、リアルタイムに取り込まれる被写体像（ライブビュー画像）中で特定被写体が検出された場合に連続撮影処理を行うとともに、生成した連続撮影画像を用いてスローライブビュー表示を行うことができる。したがって、特定被写体の動きが速い場合であっても、シャッターチャンスを逃すことなく確実に記録することができるという効果を奏する。
【０１１８】
（変形例３）
上記した実施の形態２では、登録したい人物を実際に撮影することによってその顔を特定被写体として登録することとした。これに対し、既に記録媒体１３６に記録されている画像データ中の顔領域を指定することで被写体を登録する構成としてもよい。
【０１１９】
図１３は、変形例３における被写体登録処理の詳細な処理手順を示すフローチャートである。変形例３の被写体登録処理では先ず、記録媒体１３６に記録されている撮影画像の画像データを読み出して再生（表示）する処理を行う。なお、撮影画像の再生は、例えば、記録媒体１３６に記録されている撮影画像の画像データを記録順に１枚ずつ順番に読み込んで表示する構成としてもよいし、複数の撮影画像のサムネイル画像を一覧表示する制御を行い、ユーザ操作に従って一覧の中から選択した撮影画像の画像データを表示する構成としてもよい。
【０１２０】
そして、図１３に示すように、キーマトリクス１５０によって画像選択操作を入力すると（ステップｈ１：Ｙｅｓ）、選択された撮影画像（選択撮影画像）の画像データを記録媒体１３６から読み出して画面表示する処理を行う（ステップｈ３）。またこのとき、画面表示した選択撮影画像上の所定の初期位置（例えば中央）において、特定被写体を選択するための所定の初期サイズの被写体選択枠を表示処理する（ステップｈ５）。
【０１２１】
その後、システムコントロール部１１１ｂは、キーマトリクス１５０に対する操作入力に応じた処理を行う。すなわち、キーマトリクス１５０の十字キーが操作された場合には（ステップｈ７：Ｙｅｓ）、操作された方向ボタンに応じた方向に被写体選択枠を所定量移動させてその表示を更新する（ステップｈ９）。ズームボタン１５３が操作された場合には（ステップｈ１１：Ｙｅｓ）、被写体選択枠のサイズを所定量拡大または縮小してその表示を更新する（ステップｈ１３）。また、ＯＫボタンが操作されるまでの間は（ステップｈ１５：Ｎｏ）、ステップｈ７に戻って上記した処理を繰り返す。
【０１２２】
そして、ＯＫボタンが操作された場合には（ステップｈ１５：Ｙｅｓ）、画像処理部１２０ｂが、選択撮影画像中の被写体選択枠内の部分画像を特定被写体画像とし、この特定被写体画像の画像データを画像認識処理して特徴情報を抽出する（ステップｈ１７）。すなわち、画像認識部１２４ｂは、特定被写体画像の画像データについて顔検出処理を行い、顔検出結果を特徴情報として得る。被写体登録部１１５ｂは、上記のようにして得られた特定被写体画像の画像データおよびその特徴情報を特定被写体情報１０７１ｂとしてＥＥＰＲＯＭ１０７ｂに記録処理する（ステップｈ１９）。
【０１２３】
図１４は、変形例３における被写体登録モード時にＴＦＴ液晶パネル１４４に表示される被写体登録画面の一例を示す図である。図１４に示すように、被写体登録画面は、選択撮影画像が再生（表示）される撮影画像表示エリアＷ２１を備え、この撮影画像表示エリアＷ２１の中央に被写体選択枠Ｆ２１が所定の初期サイズで表示されるようになっている。ユーザは、先ず、登録した特定人物が映る撮影画像を選択して撮影画像表示エリアＷ２１に表示させる。その後、十字キーを操作して被写体選択枠Ｆ２１の位置を移動させるとともに、ズームボタン１５３を操作して被写体選択枠Ｆ２１のサイズを拡大または縮小し、登録したい特定人物の顔が被写体選択枠Ｆ２１内に収まるように被写体選択枠Ｆ２１の位置およびサイズを調整する。そして、最終的にＯＫボタンを操作することによって、被写体選択枠Ｆ２１内の顔の人物が特定被写体として登録される。
【０１２４】
なお、上記した実施の形態２や変形例３では、特定の人物を特定被写体とする場合について説明したが、登録可能な被写体は、人物（顔）に限定されるものではない。例えば、動物や昆虫、乗り物等、ユーザが追尾したい被写体を適宜設定できる。
【０１２５】
また、上記した実施の形態２や変形例３では、ユーザが実際にその画像を撮影したり、あるいは記録済みの撮影画像の中から領域選択することで被写体を登録することとした。これに対し、特定被写体の画像データや特徴情報を予め用意してＥＥＰＲＯＭ１０７ｂに記録しておく構成としてもよい。
【０１２６】
図１５は、本変形例における被写体登録画面の一例を示す図である。図１５に示すように、本変形例の被写体登録画面には、「人」「動物」「昆虫」「乗り物」といった被写体のカテゴリを表記したカテゴリ項目Ｉ３１〜Ｉ３７が選択可能に一覧表示されている。ユーザは、例えば十字キーを操作していずれかのカテゴリ項目Ｉ３１〜Ｉ３７を選択し、その後ＯＫボタンを操作することで登録したい被写体が属する所望のカテゴリを選択する。ここで、選択されたカテゴリ項目は、例えば背景の色を変更される等して識別表示されるようになっている。図１５では、動物カテゴリを選択した状態を示しており、カテゴリ項目Ｉ３３が識別表示されている。
【０１２７】
そして、このようにしてカテゴリを選択すると、図１５に示すように、そのカテゴリに属する要素が選択可能に一覧表示された要素選択画面Ｗ３１が表示されるようになっている。この要素選択画面Ｗ３１において要素を選択すると、選択した要素が特定被写体として登録される。例えば図１５では、動物カテゴリが選択されており、要素選択画面Ｗ３１には、動物カテゴリに属する例えば「犬」「猫」「鳥」「魚」といった要素（動物の種類）を表記した要素項目Ｉ３１１〜Ｉ３１７が一覧表示されている。ここで、本変形例では、カテゴリ毎に用意される各要素の中からユーザが選択した要素が特定被写体となる。各要素それぞれの画像データやその特徴情報は、予め用意してＥＥＰＲＯＭ１０７ｂに記録しておく。
【０１２８】
ユーザは、さらに十字キーを操作していずれかの要素項目Ｉ３１１〜Ｉ３１７を選択し、その後ＯＫボタンを操作することで登録したい動物の種類を選択する。図１５では、犬を選択した状態を示しており、要素項目Ｉ３１１が識別表示されている。この結果、「犬」が特定被写体として登録される。以上のようにして「犬」を登録した場合には、スローライブビュー対応モードでは、画像認識部１２４ｂによる画像認識処理によって、ライブビュー画像中に映る「犬」が検出される。そして、ライブビュー画像中で「犬」が検出された場合に、スローライブビュー表示が行われる。
【０１２９】
なお、図示しないが、昆虫カテゴリの要素としては、例えば蝶やカブトムシ、クワガタムシ、てんとう虫等が挙げられる。また、乗り物カテゴリの要素としては、例えば車や電車、Ｆ１カー、飛行機、トラック等が挙げられる。なお、図１５で例示したカテゴリや要素は特に限定されるものではなく、適宜設定しておくことができる。すなわち、ユーザに登録可能な特定被写体の選択肢として提示する各要素の画像データや特徴情報を予め用意しておけばよい。
【０１３０】
なお、本発明は、上記した各実施の形態そのままに限定されるものではなく、各実施の形態に開示されている複数の構成要素を適宜組み合わせることによって、種々の発明を形成できる。すなわち、実施の形態１や変形例１，２で説明したようにスローライブビュー表示をリセットする構成と、実施の形態２で説明したように特定被写体が映る場合にスローライブビュー表示する構成とを組み合わせて行う構成としてもよい。
【０１３１】
例えば、図１２のステップｇ２７の後、図５のステップｂ２１，ｂ２３に示した処理を行うようにし、カメラ姿勢情報が所定の閾値を超えない場合にステップｇ９に戻り、次フレームの画像認識処理に移るようにしてもよい。そして、カメラ姿勢情報が所定の閾値を超えた場合にはスローライブビュー表示をリセットし、その後ステップｇ５に戻って初期化処理を行い、次フレームの画像認識処理に移るようにしてもよい。
【０１３２】
あるいは、図１２のステップｇ２７の後、図６のステップｃ２１，ｃ２３に示した処理を行うようにし、ズーム操作を検出しない場合にステップｇ９に戻り、次フレームの画像認識処理に移るようにしてもよい。そして、ズーム操作を検出した場合にはスローライブビュー表示をリセットし、その後ステップｇ５に戻って初期化処理を行い、次フレームの画像認識処理に移るようにしてもよい。
【０１３３】
あるいは、図１２のステップｇ２７の後、上記した変形例２を適用してスローライブビュー表示を１０秒間継続的に行ったか否かを判定するようにしてもよい。そして、１０秒間が経過していない場合にステップｇ９に戻り、次フレームの画像認識処理に移るようにしてもよい。そして、１０秒間が経過した時点でスローライブビュー表示をリセットし、その後ステップｇ５に戻って初期化処理を行い、次フレームの画像認識処理に移るようにしてもよい。
【０１３４】
また、上記した各実施の形態では、本発明の撮影装置としていわゆるデジタルスチルカメラやデジタルビデオカメラを例に挙げたが、適用対象はこれらに限定されるものではない。例えば、カメラ付き携帯電話機やカメラ付きモバイルＰＣ等に適用できる。
【図面の簡単な説明】
【０１３５】
【図１】実施の形態１における撮影装置の概略内部構成例を示すブロック図である。
【図２】スローライブビュー対応モードで得られる連写撮影画像の一例を示す図である。
【図３】スローライブビュー対応モードにおける表示フレームレートを説明する図である。
【図４】実施の形態１の撮影装置の基本動作を示すフローチャートである。
【図５】実施の形態１におけるスローライブビュー対応モード処理の詳細な処理手順を示すフローチャートである。
【図６】変形例１におけるスローライブビュー対応モード処理の詳細な処理手順を示すフローチャートである。
【図７】変形例２におけるスローライブビュー対応モード処理の詳細な処理手順を示すフローチャートである。
【図８】実施の形態２における撮影装置の概略内部構成例を示すブロック図である。
【図９】実施の形態２における撮影装置の基本動作を示すフローチャートである。
【図１０】実施の形態２における被写体登録処理の詳細な処理手順を示すフローチャートである。
【図１１】実施の形態２における被写体登録画面の一例を示す図である。
【図１２】実施の形態２におけるスローライブビュー対応モード処理の詳細な処理手順を示すフローチャートである。
【図１３】変形例３における被写体登録処理の詳細な処理手順を示すフローチャートである。
【図１４】変形例３における被写体登録画面の一例を示す図である。
【図１５】被写体登録画面の他の変形例を示す図である。
【符号の説明】
【０１３６】
１，１ｂ      撮影装置
１０１      レンズ
１０２      撮像素子
１０３      アクチュエータ
１０４      アクチュエータ駆動回路
１０５      撮像回路
１０６      フラッシュ
１０７，１０７ｂ      ＥＥＰＲＯＭ
１０７１ｂ      特定被写体情報
１０８      手ブレ補正用ジャイロセンサ
１１０，１１０ｂ      ＣＰＵ
１１１，１１１ｂ      システムコントロール部
１１２      カメラ撮影画角判定部
１１３      操作時間計測部
１１４      時計部
１１５ｂ      被写体登録部
１１６ｂ      特定被写体追尾処理部
１２０，１２０ｂ      ＣＰＵ（画像処理部）
１２１      画像圧縮伸長部
１２２      記録媒体アクセス処理部
１２３      表示フレームレート変換部
１２４ｂ      画像認識部
１２５ｂ      特定被写体判定部
１３１      Ａ／Ｄ変換回路
１３２      ＦＩＦＯメモリ
１３３      フレームメモリ
１３４      記録バッファ
１３５      記録媒体Ｉ／Ｆ
１３６      記録媒体
１４１      ＴＦＴ液晶駆動回路
１４２      ビデオ出力回路
１４３      バックライトユニット
１４４      ＴＦＴ液晶パネル
１５０      キーマトリクス
１５１      ファーストレリーズ
１５２      セカンドレリーズ
１５３      ズームボタン
１６１      ＬＣＤ表示回路
１６２      ＬＣＤパネル
１６３      外部有線データＩ／Ｆ
１７１      電池
１７２      バックアップ電源
１７３      電源回路
１７４      電池状態検出回路
２０１      外部画像表示装置
【図１】
2010226481.tif 000003
【図２】
2010226481.tif 000004
【図３】
2010226481.tif 000005
【図４】
2010226481.tif 000006
【図５】
2010226481.tif 000007
【図６】
2010226481.tif 000008
【図７】
2010226481.tif 000009
【図８】
2010226481.tif 000010
【図９】
2010226481.tif 000011
【図１０】
2010226481.tif 000012
【図１１】
2010226481.tif 000013
【図１２】
2010226481.tif 000014
【図１３】
2010226481.tif 000015
【図１４】
2010226481.tif 000016
【図１５】
2010226481.tif 000017